(57)【要約】【課題】  無線タグ技術によって管理されているモノをさらにセンサによって検出し、そのセンサ検出情報をこのモノの管理に活用するようなサービス・システムにおいて、識別子の管理・処理を一本化し、システムの処理効率向上を図る。【解決手段】  測定対象となるモノ１０に無線タグ１１０を取り付ける。また、センサ情報通信装置１００に無線タグ読み取り部１０５を設ける。そして、無線タグ読み取り部１０５によって無線タグ１１０から読み取った識別子を、センサ部１０４によって検出したモノ１０のセンサ検出情報とともにセンタ装置１３０に送信する。センタ装置１３０は、送られた識別子とセンサ検出情報とを対応付けて格納し、管理する。【選択図】        図１
2005322984.tif 000002
【特許請求の範囲】
【請求項１】
センサ情報をセンタ装置に送信するセンサ情報通信装置であって、
測定対象の物理量を検出するセンサ部と、
上記測定対象に付された無線タグから出力された識別子を読み取る無線タグ読み取り部と、
上記センサ部の検出結果であるセンサ検出情報と、上記無線タグ読み取り部が読み取った上記識別子と、を格納する記憶部と、
上記センサ検出情報と上記識別子とを送信する送信部と、
を有することを特徴とするセンサ情報通信装置。
【請求項２】
センサ検出情報を管理するセンサ情報管理方法であって、
測定対象に無線タグを付しておき、
センサ情報通信装置のセンサ部において、上記測定対象の物理量を検出し、
上記センサ情報通信装置の無線タグ読み取り部において、上記測定対象に付された無線タグから出力された識別子を読み取り、
上記センサ部の検出結果であるセンサ検出情報と、上記無線タグ読み取り部が読み取った上記識別子とを、上記センサ情報通信装置の記憶部に格納し、
上記センサ情報通信装置の送信部において、上記センサ検出情報と上記識別子とをセンタ装置に送信し、
上記センタ装置の受信部において、上記センサ検出情報と上記識別子とを受信し、
上記センサ検出情報と上記識別子とを関連付けて、上記センタ装置のデータベースに格納する、
ことを特徴とするセンサ情報管理方法。
【請求項３】
請求項１記載のセンサ情報通信装置としてコンピュータを機能させるためのセンサ情報通信プログラム。
【発明の詳細な説明】
【技術分野】
【０００１】
この発明は、センサで検出したセンサ検出情報をセンタ装置に送信する通信機能を具備するセンサ情報通信装置、センサ検出情報を管理するセンサ情報管理方法、及びその機能をコンピュータ上で実現するためのプログラムに関する。
【背景技術】
【０００２】
現在、通信機能とセンサ機能とを併合し、ホームセキュリティ、ヘルスケア、防災等のサービスやシステムの構築が進められている（例えば、非特許文献１〜３参照。）。
例えば、非特許文献１には、窓やドア等の宅内設備に加速度センサを取り付け、そのセンサ検出情報を、通信機能を用いてセンタ装置に送信することでホームセキュリティを実現するサービスのことが示されている。また、非特許文献２には、人に血圧等の測定器を取り付け、その検出結果を、通信機能を用いてセンタ装置に送信することでヘルスケアを実現するサービスが示されている。さらに、非特許文献３には、崖崩れの危険性が高い敷地に湿度センサを取り付け、その検出結果を、通信機能を用いてセンタ装置に送信することで、崖崩れに対する防災システムが示されている。
【０００３】
また、ＲＦＩＤ(Radio Frequency Identification：電波方式認識)等の無線タグ技術の導入も進んでいる（例えば、非特許文献４参照。）。この技術では、商品等のモノに無線タグを付しておき、無線タグ読み取り装置で無線タグに記憶された識別子を読み取り、その識別子を、ネットワークを通じてセンタ装置に送信する。センタ装置のデータベースには各タグ装置の識別子と物流情報等が対応付けられており、センタ装置は、受信した識別子をもとに関連情報をこのデータベースから読み出し、無線タグ読み取り装置に返す。これにより、衣料や書籍等の物流・販売の効率化、生鮮食料品等のトレーサービリティを実現できる。
【非特許文献１】“SECOM TOWN”、[online]、セコム株式会社、セコム・ホームセキュリティについて、[平成１６年４月２８日検索]、インターネット＜http://www.secomtown.com/hs/about/m_gaiyo.asp＞
【非特許文献２】“News Release 2001/10/22”、[online]、松下電器産業、 [平成１６年４月２８日検索]、インターネット＜http://matsushita.co.jp/corp/news/official.data/data.dir/jn011022-1/jn011022-1.html＞
【非特許文献３】“北陸の防災”、[online]、国土交通省  北陸地方整備局  企画部企画課、[平成１６年４月２８日検索]、インターネット＜http://www.hrr.mlit.go.jp/bosai/hokurikunobosai/hkbosai/pdf/07.pdf＞
【非特許文献４】工藤ひろえ、“INTERNET Watch”、[online]、平成１５年９月１８日、[平成１６年４月２８日検索]、インターネット＜http://internet.watch.impress.co.jp/cda/news/2003/09/18/497.html＞
【発明の開示】
【発明が解決しようとする課題】
【０００４】
今後ますます普及が進むユビキタス社会においては、あらゆるモノ（人を含む）に無線タグを付し、この無線タグに記憶された識別子により、モノが個体識別されるようになると考えられる。また、各種センサ検出情報を活用したホームセキュリティ、ヘルスケア、防災等のサービス・システムの普及に際し、このような各種センサがあらゆるところに存在するようになると考えられる。
そして、このようなサービス・システムが普及していった結果、将来、無線タグ技術によって管理されているモノをさらにセンサによって検出し、そのセンサ検出情報をこのモノの管理に活用するようなサービス・システムも提供されるようになると想定される。
【０００５】
しかし、これまでの方法において、無線タグ技術とセンサ検出情報による管理技術を併合させた場合、無線タグの識別子の管理・処理と、センサ装置の識別子の管理・処理とを別個に行わなければならない。これはシステムの処理効率上好ましくない。
この発明はこのような点に鑑みてなされたものであり、無線タグ技術によって管理されているモノをさらにセンサによって検出し、そのセンサ検出情報をこのモノの管理に活用するようなサービス・システムにおいて、識別子の管理・処理を一本化し、システムの処理効率向上を図ることができる技術を提供することを目的とする。
【課題を解決するための手段】
【０００６】
この発明では上記課題を解決するために、センサ情報をセンタ装置に送信するセンサ情報通信装置であって、測定対象の物理量を検出するセンサ部と、測定対象に付された無線タグから出力された識別子を読み取る無線タグ読み取り部と、センサ部の検出結果であるセンサ検出情報と、無線タグ読み取り部が読み取った識別子と、を格納する記憶部と、センサ検出情報と識別子とを送信する送信部と、を有することを特徴とするセンサ情報通信装置が提供される。
ここで、無線タグ読み取り部を設け、この無線タグ読み取り部が読み取った無線タグの識別子を、センサ部が検出したセンサ検出情報とともにセンタ装置に送信することにより、無線タグの識別子を、センサ検出情報による管理システムの識別子としても利用できるようになる。
【発明の効果】
【０００７】
以上のように、この発明では、無線タグの識別子を、センサ検出情報による管理システムの識別子としても利用できるため、無線タグ技術によって管理されているモノをさらにセンサによって検出し、そのセンサ検出情報をこのモノの管理に活用するようなサービス・システムにおいて、識別子の管理・処理を一本化し、システムの処理効率向上を図ることができる。
【発明を実施するための最良の形態】
【０００８】
以下、この発明の実施の形態を図面を参照して説明する。
＜構成＞
図１は、本形態におけるセンサ情報管理システム１の構成を例示した図である。
図１に例示するように、センサ情報管理システム１は、センサ情報をセンタ装置に送信するセンサ情報通信装置１００と、窓、ドア、トラックの荷台、人等のモノ１０に取り付けられた無線タグ１１０と、センサ情報通信装置１００の出力を中継する受信装置１２０と、センサ検出情報を管理するセンタ装置１３０と、受信装置１２０とセンタ装置１３０を通信可能に接続するインターネット等のネットワーク１４０とからなる。
【０００９】
ここで、センサ情報通信装置１００は、制御部１０１と、記憶部１０２と、無線通信部１０３（「送信部」に相当）と、センサ部１０４とからなり、無線タグ１１０は、制御部１１１と、識別子記憶部１１２と、送信部１１３と、受信部１１４とからなる。
また、受信装置１２０は、無線通信部１２１と、制御部１２２と、通信部１２３とからなり、センタ装置１３０は、通信部１３１と、制御部１３２と、データベース１３３とからなる。
なお、図１では、１つのモノ１０と１つの無線タグ１１０のみを図示しているが、複数のモノと無線タグを配置してもよい。
【００１０】
＜前処理＞
まず、本システムの前処理として、センサ情報通信装置１００の記憶部１０２に、センサ情報通信装置１００を一義的に特定する識別子を格納しておく。
また、無線タグ１１０の識別子記憶部１１２に無線タグ１１０を一義的に特定する識別子を格納しておく。なお、前述のように、この無線タグ１１０はモノ１０に付しておく。さらに、好ましくは、センサ情報通信装置１００もモノ１０に取り付けておく（特にこれに限定はしない。）。
また、データベース１３３には、各無線タグ１１０の識別子と、各無線タグ１１０が取り付けられたモノ１０と、センサ検出情報を格納する領域とが関連付けられる。
【００１１】
＜本処理＞
図２は、この例のセンサ情報通信装置１００の本処理を説明するためのフローチャートである。なお、図２は、センサ情報通信装置１００が一定間隔（５分毎）でセ、センサ検出情報をセンタ装置１３０に送信する例である。また、図３は、この例のセンタ装置１３０の本処理を説明するためのフローチャートである。以下では、図１〜３を用いて、本システムの本処理について説明する。
まず、センサ情報通信装置１００の制御部１０１において、時刻を示すカウンタＴに０を代入する（ステップＳ１）。次に、センサ部１０４は制御部１０１の指示に従い、モノ１０（「測定対象」に相当）の物理量２１２（温度、加速度、血圧等）を検出する。センサ部１０４の検出結果であるセンサ検出情報は、制御部１０１を通じ、記憶部１０２に送られ、そこに記憶される（ステップＳ２）。
また、センサ情報通信装置１００の無線タグ読み取り部１０５は、制御部１０１の指示を受け、周辺に位置するモノ１０（測定対象）に付された無線タグ１１０から出力された識別子を読み取る（ステップＳ３）。
【００１２】
具体的には、まず、無線タグ読み取り部１０５から無線タグ１１０へ、識別子読み取り要求の電波を送信する（ステップＳ３１）。この電波は無線タグ装置１１０の受信部１１４において受信され、制御部１１１に送られる。制御部１１１は、これを契機に、識別子記憶部１１２から無線タグ１１０の識別子２１１を抽出し、これを送信部１１３から送信する。送信された識別子２１１は、センサ情報通信装置１００の無線タグ読み取り部１０５において受信され、制御部１０１に送られる。制御部１０１は、無線タグ１１０の識別子２１１が受信されたか否かを判断する（ステップＳ３２）。ここで、制御部１０１において、識別子２１１が受信されたと判断された場合、制御部１０１は、この識別子２１１を記憶部１０２に格納した後（ステップＳ３３）、この記憶部１０２から識別子２１１とセンサ検出情報とを読み取る（ステップＳ３４）。一方、制御部１０１において、識別子２１１が受信されないと判断された場合、制御部１０１は、記憶部１０２からセンサ情報通信装置１００の識別子とセンサ検出情報とを読み取る（ステップＳ３５）。
【００１３】
次に、制御部１０１は、記憶部から読み取った（抽出した）識別子とセンサ検出情報を無線通信部１０３に送り、無線通信部１０３は、これらを識別子情報２２１及びセンサ検出情報２２２として、センタ装置１３０に対して送信する（ステップＳ４）。なお、この例の場合、識別子情報２２１は、記憶部１０２から抽出した識別子の数と識別子によって構成され、センサ検出情報２２２は、加速度、温度等の検出した物理量の種別と、その検出値とから構成される。
その後、制御部１０１は、Ｔ＝３００（５分）となったか否かを判断し、Ｔ＝３００（５分）となっていなければＴ＝Ｔ＋１の演算を行って（ステップＳ６）ステップＳ５の判断を繰り返し、Ｔ＝３００（５分）となっていればステップＳ１の処理に戻る。
【００１４】
一方、無線通信部１０３から送信された識別子情報２２１及びセンサ検出情報２２２は、受信装置１２０の無線通信部１２１において受信され、制御部１２２に送られる。制御部１２２は、これらを通信部１２３からネットワーク１４０を通じセンタ装置１３０に送信する。
センタ装置１３０は、通信部１３１において、これら識別子情報２２１及びセンサ検出情報２２２を受信し（ステップＳ１３１）、制御部１３２に送る。制御部１３２は、受け取った識別子情報２２１が有する識別子をキーとしてデータベース１３３を検索する（ステップＳ１０２）。そして、制御部１３２は、この検索キーに適合する識別子がデータベース１３３に存在するか否かを判断する（ステップＳ１０３）。ここで、検索キーに適合する識別子がデータベース１３３に存在すると判断された場合には、制御部１３２は、受け取ったセンサ検出情報と識別子とを関連付けて、データベース１３３に格納する。一方、検索キーに適合する識別子がデータベース１３３に存在しないと判断された場合（送られた識別子がセンサ情報通信装置１００の識別子であった場合や、識別子が誤っていた場合）には、エラー終了し（ステップＳ１０５）、別途、管理者の判断に従い、これらをデータベース１３３に格納する。
【００１５】
＜本形態の特徴＞
以上説明したとおり、本形態では、センサ情報通信装置１００に無線タグ読み取り部１０５を具備させ、読み取った無線タグ１１０の識別子をセンサ検出情報とともにセンタ装置１３０に送信することとした。これにより、無線タグ系のシステムと、センサ系のシステムとにおける、識別子とモノの対応付け管理を一本化でき、効率的なシステムが実現される。加えて、無線タグ系のシステムとセンサ系のシステムとの連携も容易に実現できる。
【００１６】
なお、この発明は上述の実施の形態に限定されるものではない。例えば、上述の各種の処理は、記載に従って時系列に実行されるのみならず、処理を実行する装置の処理能力あるいは必要に応じて並列的にあるいは個別に実行されてもよい。さらに、本明細書においてシステムとは、複数の装置の論理的集合構成であり、各構成の装置が同一筐体内にあるものには限らない。その他、本発明の趣旨を逸脱しない範囲で適宜変更が可能であることはいうまでもない。
【産業上の利用可能性】
【００１７】
例えば、加速度センサを有するセンサ情報通信装置と、無線タグと、を窓（モノ）に取り付けて本発明を実施することで、ホームセキュリティシステムを構築できる。また、血圧測定器を有するセンサ情報通信装置と、無線タグと、を患者に取り付けて本発明を実施することで、ヘルスケアシステムを構築できる。
【図面の簡単な説明】
【００１８】
【図１】センサ情報管理システムの構成を例示した図。
【図２】センサ情報通信装置の処理を説明するためのフローチャートの例示。
【図３】センタ装置の処理を説明するためのフローチャートの例示。
【符号の説明】
【００１９】
１  センサ情報管理システム
１０  モノ
１００  センサ情報通信装置
１１０  無線タグ
１３０  センタ装置
【図１】
2005322984.tif 000003
【図２】
2005322984.tif 000004
【図３】
2005322984.tif 000005